(57)【要約】【課題】  セットフレームの変形及びこれによる問題を効果的に防止できるカーテン用セットフレームを提供する。【解決手段】  カーテン用セットフレームは、断面がＵ字形を呈するセットフレーム本体１を備え、セットフレーム本体１の上端に窓頂部に固定された係止具と係合する取り付け溝１．１が設けられ、下端にカーテン端部を嵌着するための係止溝１．２が設けられ、セットフレーム本体１内に組み込み式補強板２が設けられる。セットフレーム本体１の上端内壁の両側に組み込み式補強板を設けると共に組み込み式補強板を幅方向に規制することによって、セットフレームの変形及びこれによる取り付けの困難又は内部伝動機構の作動にラグが生じるという問題を効果的に防ぐことができる。【選択図】  図2
0003234665.tif 000002
【実用新案登録請求の範囲】
【請求項１】
断面がＵ字形を呈するセットフレーム本体（１）を備え、前記セットフレーム本体（１）の上端に窓頂部に固定された係止具と係合する取り付け溝（１．１）が設けられ、下端にカーテン端部を嵌着するための係止溝（１．２）が設けられるカーテン用セットフレームであって、前記セットフレーム本体（１）内に組み込み式補強板（２）が設けられることを特徴とする、カーテン用セットフレーム。
【請求項２】
前記セットフレーム本体（１）の上端内壁に組み込み式補強板（２）が設けられることを特徴とする、請求項１に記載のカーテン用セットフレーム。
【請求項３】
前記セットフレーム本体（１）の上端内壁の両側に前記組み込み式補強板（２）を規制するための規制溝（１．３）が設けられることを特徴とする、請求項２に記載のカーテン用セットフレーム。
【請求項４】
前記セットフレーム本体（１）は、内壁の規制溝（１．３）を介し前記組み込み式補強板（２）を幅方向に規制することを特徴とする、請求項３に記載のカーテン用セットフレーム。
【請求項５】
前記組み込み式補強板（２）の両側に前記セットフレーム本体（１）の両側の規制溝（１．３）に合わせるための規制構造（２．１）が設けられ、前記組み込み式補強板（２）の両側の規制構造（２．１）及び前記セットフレーム本体（１）の両側の規制溝（１．３）の断面形状は、鏡像対称の逆Ｌ字形であることを特徴とする、請求項４に記載のカーテン用セットフレーム。
【考案の詳細な説明】
【技術分野】
【０００１】
本考案は、カーテン構造設計の技術分野に関し、特に、カーテン用セットフレームに関する。
【背景技術】
【０００２】
カーテン用セットフレームは、主にカーテンを取り付けるために用いられ、電動カーテン用セットフレームの場合、伝動機構等を収容する役割も果たしている。従来の電動カーテン用セットフレームは、一般的に断面がＵ字形をした型材であり、Ｕ字形型材の下端にカーテンの上端と嵌め合う係止溝が設けられ、上端に窓頂部に固定された係止具と係合する取り付け溝が設けられるが、この構造はＵ字形型材の上端が開放し、支持構造が備えられていないため、輸送途中又は使用中に非常に変形しやすくなることで、取り付け溝と係止具の嵌合に影響を及ぼし、取り付けが困難になるか、又は内部伝動機構の作動にラグが生じるという原因になる。
【考案の概要】
【考案が解決しようとする課題】
【０００３】
本考案は、セットフレームの強度を効果的に補強し、セットフレームの輸送途中又は使用中の変形問題を解決できることで、取り付けが困難になるか、又は内部伝動機構の作動にラグが生じるという問題を効果的に防ぐカーテン用セットフレームを提供することを、技術的課題とするものである。
【課題を解決するための手段】
【０００４】
本考案は、上記課題を解決するために以下のような技術的手段を講じた。
カーテン用セットフレームであって、断面がＵ字形を呈するセットフレーム本体を備え、前記セットフレーム本体の上端に窓頂部に固定された係止具と係合する取り付け溝が設けられ、下端にカーテン端部を嵌着するための係止溝が設けられ、前記セットフレーム本体内に組み込み式補強板が設けられる。
【０００５】
好ましくは、前記セットフレーム本体の上端内壁に組み込み式補強板が設けられる。
【０００６】
より好ましくは、前記セットフレーム本体の上端内壁の両側に前記組み込み式補強板を規制するための規制溝が設けられる。
【０００７】
より好ましくは、前記セットフレーム本体は、内壁の規制溝を介し前記組み込み式補強板を幅方向に規制する。
【０００８】
より好ましくは、前記組み込み式補強板の両側に前記セットフレーム本体の両側の規制溝に合わせるための規制構造が設けられる。
【０００９】
好適には、前記組み込み式補強板の両側の規制構造及び前記セットフレーム本体の両側の規制溝の断面形状は、鏡像対称の逆Ｌ字形である。
【考案の効果】
【００１０】
本考案は、前記セットフレーム本体の上端内壁の両側に組み込み式補強板を設けると共に前記組み込み式補強板を幅方向に規制する。前記組み込み式補強板の両側の規制構造と前記セットフレーム本体の両側の規制溝の断面形状は、鏡像対称の逆Ｌ字形である。前記組み込み式補強板は、前記セットフレーム本体の任意の端から組み込むことができ、対応する構造設計により前記セットフレーム本体の両側の内壁を効果的に支持や補強し、幅方向における変形を効果的に制限できることから、セットフレームの変形による取り付けの困難又は内部伝動機構の作動にラグが生じるという問題を効果的に防ぐ。
【図面の簡単な説明】
【００１１】
【図１】本考案の概略断面構造図である。
【図２】本考案の立体構造図である。
【考案を実施するための形態】
【００１２】
以下、本考案の実施形態を詳細に記載し、前記実施形態の例示が添付図面に示し、うち、終始同一又は類似の符号は同一又は類似の構成要素若しくは同一又は類似の機能を持つ構成要素であることを示す。以下、添付図面を通じて記述する実施形態は、例示的なものであり、本考案を解釈するためにのみ用いられ、本考案を限定することができない。
【００１３】
図１〜図２に示すように、カーテン用セットフレームであって、断面がＵ字形を呈するセットフレーム本体１を備え、前記セットフレーム本体１の上端に窓頂部に固定された係止具と係合する取り付け溝１．１が設けられ、下端にカーテン端部を嵌着するための係止溝１．２が設けられ、前記セットフレーム本体１内に組み込み式補強板２が設けられる。
【００１４】
前記セットフレーム本体１の上端内壁に組み込み式補強板２が設けられる。
【００１５】
前記セットフレーム本体１の上端内壁の両側に前記組み込み式補強板２を規制するための規制溝１．３が設けられる。
【００１６】
前記セットフレーム本体１は、内壁の規制溝１．３を介し前記組み込み式補強板２を幅方向に規制する。
【００１７】
前記組み込み式補強板２の両側に前記セットフレーム本体１の両側の規制溝１．３に合わせるための規制構造２．１が設けられる。
【００１８】
前記組み込み式補強板２の両側の規制構造２．１及び前記セットフレーム本体１の両側の規制溝１．３の断面形状は、鏡像対称の逆Ｌ字形である
【００１９】
なお、本考案の説明において、用語「中心」、「縦方向」、「横方向」、「長さ」、「幅」、「厚さ」、「上」、「下」、「前」、「後」、「左」、「右」、「鉛直」、「水平」、「頂」、「底」、「内」、「外」、「時計回り」、「反時計回り」、「軸方向」、「半径方向」、「円周方向」などが示した方位又は位置関係は、単に本考案を簡単に説明しやすくするためであり、示された装置又は部材が必ず特定の方位を有し、又は特定の方位で構成され操作することと指示又は示唆するものではないので、本考案に対する限定と理解してはいけない。
【００２０】
なお、用語「第１」、「第２」は単に目的を描写するのに使われており、比較的な重要性を指示又は示唆する、或いは示された技術的特徴の数をそれとなく明示すると理解してはいけない。そこで、「第１」、「第２」が限定されている特徴は一つ又はもっと多くのこの特徴を含むことを明示又はほのめかすものである。更に、本考案において、特に説明される場合を除く、「複数」とは２つ以上のことを意味する。
【００２１】
本考案に明記及び指定されていない限り、用語「取り付けられた」、「結合された」、「接合された」、「固定された」等は、広義に解釈すべきであり、例えば、固結であってもよく、取り外し可能な接続又は一体になり；機械的接続であり得、電気的接続であってもよく；直接的接続であり得、中間要素を介して間接的に結合してもよく、２つの要素内部の連通或いは２つの要素の相互作用関係であり得る。当業者にとって、具体的状況に応じて本考案における上記用語の具体的意味を理解することができる。
【００２２】
本考案に明記及び指定されていない限り、第２の特徴の「上」又は「下」のにあると説明されている第１の特徴は、第１及び第２の特徴と直接接触し得るか、或いは第１及び第２の特徴が中間要素を介して間接的に接触してもよい。かつ、第２の特徴の「真上に」、「上方に」、及び「上に」あると説明されている第１の特徴は、第２特徴の真上又は斜め上にあるか、若しくは単に第１の特徴の水平高さが第２特徴よりも高いことを意味し得る。第２の特徴の「真下に」、「下方に」、及び「下に」あると説明されている第１の特徴は、第２特徴の真下又は斜め下にあるか、若しくは単に第１の特徴の水平高さが第２特徴よりも低いことを意味し得る。
【００２３】
本明細書の説明において、用語「一実施例」、「いくつかの実施例」、「例」、「具体的な例」、又は「いくつかの例」などの描写は、該実施例又は例で記載されている具体的特徴、構造、材料或いは特性を結合して本考案の少なくとも１つの実施例又は例に含まれることを意味する。本明細書において、上記用語の模式的な記述は必ずしも同じ実施例または例を指すとは限らない。かつ、描写された具体的特徴、構造、材料或いは特性は、任意の１つ又は複数の実施例或いは例において適した方法で結合できる。なお、互いに矛盾しない場合において、当業者は本明細書に記載されている異なる実施例或いは例及び異なる実施例或いは例の特徴を結合及び組み合わせることができる。
【００２４】
以上本考案につき実施例を挙げて種々説明したが、上記実施例はすべての点で例示であって制限的なものではないと考えられるべきである。当業者は、本考案の範囲内で上記実施例を変化、修正、置換及び変形することができる。
【００２５】
当業者にとって、上記の説明を読んだ後、様々な変更及び潤色が間違いなく自明であろう。 したがって、添付の実用新案登録請求の範囲は、本考案の真の意図と範囲のすべての変更と潤色をカバーしていると見なされるべきである。実用新案登録請求の範囲内のありとあらゆる均等の範囲及び内容は、本考案の意図及び範囲内にあると考えられるべきである。
【符号の説明】
【００２６】
１  セットフレーム本体
１．１  取り付け溝
１．２  係止溝
１．３  規制溝
２  組み込み式補強板
２．１  規制構造
【図１】
0003234665.tif 000003
【図２】
0003234665.tif 000004